(57)【要約】【課題】ケージエレベータケージ組み立て体およびその製造方法を提供する。【解決手段】２個以上のパネル（２）から形成された少なくとも１個の壁を含み、各パネル（２）は、エレベータケージのケージ内表面を形成する前表面（４）と、それぞれ前表面（４）の両側縁部（６、８）に取り付けられた雌コネクタ（２０）および雄コネクタ（１０）とを有ケージし、雄コネクタ（１０）は前表面（４）に平行であるが直交方向に変位された突起（１４）を含み、雌コネクタ（２０）は前表面（４）に平行であるが直交方向および横方向に変位された溝（２８）を画定する。溝（２８）は前表面（４）に面する開口（３０）を有する。１個の壁パネル（２’）の突起（１４’）は、開口（３０）を通して横方向へ隣接パネル（２）の溝（２８）中に挿入され、固定要素（４０）が隣接壁パネル（２、２’）間に直交方向に挿入される。【選択図】図１
2007169067.tif 000002
【特許請求の範囲】
【請求項１】
２個以上のパネル（２）から形成された少なくとも１個の壁を備え、各パネル（２）は、エレベータケージ（１）のケージ内表面を形成する前表面（４）と、それぞれ前表面（４）の両側縁部（６、８）に取り付けられた雌コネクタ（２０）および雄コネクタ（１０）とを有し、雄コネクタ（１０）は前表面（４）に平行であるが直交方向に変位された突起（１４）を含む、エレベータケージ（１）であって、
雌コネクタ（２０）は、前表面（４）に平行であるが直交方向および横方向に変位された溝（２８）を画定して、前表面（４）の後部に面する開口（３０）を有し、
１個のパネル（２’）の突起（１４’）は開口（３０）を通して隣接パネル（２）の溝（２８）中に挿入可能であり、
固定要素（４０）が隣接パネル（２、２’）間に挿入可能であることを特徴とする、エレベータケージ。
【請求項２】
前表面がコーナー（１０５）で接する２個の直角表面（１０４ａ、１０４ｂ）を備える、請求項１に記載のエレベータケージ（１）。
【請求項３】
固定要素（４０）が弾力性である、請求項１または２に記載のエレベータケージ（１）。
【請求項４】
固定要素（４０）が、隣接パネルに設けられた対応する孔（４８）に嵌合するための少なくとも２個の突起（４６）を有する、請求項１から３のいずれか一項に記載のエレベータケージ（１）。
【請求項５】
パネルを受容するためのＵ型チャネル（７）を縁部に有するプラットホーム（３）をさらに備える、請求項１から４のいずれか一項に記載のエレベータケージ（１）。
【請求項６】
パネルを受容するための逆Ｕ型チャネル（１７）を縁部に有する天井（１３）をさらに備える、請求項１から５のいずれか一項に記載のエレベータケージ（１）。
【請求項７】
２個以上のパネル（２）を提供するステップであって、各パネル（２）は、エレベータケージ（１）のケージ内表面を形成する前表面（４）と、それぞれ前表面（４）の両側縁部（６、８）に取り付けられた雌コネクタ（２０）および雄コネクタ（１０）とを有し、雄コネクタ（１０）は前表面（４）に平行であるが直交方向に変位された突起（１４）を含むステップを含む、エレベータケージ（１）の製造方法であって、
前表面（４）に平行であるが直交方向および横方向に変位されて、前表面（４）の後部に面する開口（３０）を有する溝（２８）を備える、雌コネクタ（２０）を提供することと、
１個の壁パネル（２’）の突起（１４’）を、開口（３０）を通して隣接パネル（２）の溝（２８）中に挿入して、その間の横方向の相対的な動きを防止することと、
固定要素（４０）を隣接パネル（２、２’）間に挿入して、その間の横方向の相対的な動きを防止することとを特徴とする、方法。
【請求項８】
固定要素（４０）がパネル間に挿入される前に、個々のパネルに最終的な調整を加えるステップをさらに含む、請求項７に記載の方法。
【請求項９】
Ｕ型チャネル（７）を縁部に有するプラットホーム（３）を設け、パネルをチャネル中に挿入するステップをさらに含む、請求項７または８に記載の方法。
【請求項１０】
逆Ｕ型チャネル（１７）を縁部に有する天井（１３）を設け、パネルをチャネル中に挿入するステップをさらに含む、請求項７から９のいずれか一項に記載の方法。
【発明の詳細な説明】
【技術分野】
【０００１】
本発明はエレベータに関し、さらに詳細にはエレベータケージ及びその製造方法に関する。
【背景技術】
【０００２】
従来のエレベータケージまたは箱は、一般に、ナットとボルトなどの従来の固定具を用いて互いに連結されて側壁を形成する隣接パネルを含む。完成されたエレベータケージの内部から固定具が見えないように、固定具は通常、ケージの外側に配置される。このようなシステムは独国特許第４４４６０２３号明細書に記述され示される。したがって、ケージと昇降路壁の間の比較的小さな空間で多数の組み立てを行わなければならず、これは苛立たしく困難であり時間が掛かる。
【０００３】
この問題に対する解決策は米国特許第６，０８２，５０１号明細書に開示され、それによれば、パネルがプラットホーム側縁部に沿って整列されるように、最初に第１のパネルがフロアブラケットによってケージのプラットホームに固定される。パネルはケージの内側に向かって延在する鉤部を有する。次いで、昇降路に向かって延在するＪ形状のラッチ部材を有する第２のパネルが、Ｊ形状のラッチ部材を第１パネルの鉤部中に挿入することのできる位置に動かされる。この位置で、第２パネルは７５°よりも大きい角度でプラットホームの側縁部に延在し、したがって、第２パネルの大部分がプラットホームから昇降路中に突出する。したがって、プラットホームと昇降路壁の間の間隙はこの位置の第２パネルを収納するのに十分でなければならない。ラッチ部材が鉤部へ挿入されると、第２パネルはプラットホーム上の所望の位置に回転され、床ブラケットによってプラットホームに固定される。
【０００４】
エレベータ産業に対して空間効率を最大化するという圧力が絶え間なくかけられ、設計者は、プラットホームと昇降路壁間に、第２パネルを７５°の予備回転位置に収納するために必要な空隙をもはや確保できなくなっている。
【０００５】
代替の解決策は米国特許第５，８４２，５４５号明細書に論じられており、ここで側壁は複数の壁パネルを備え、このパネルは各々、隣接壁パネルの長手縁部に連結する少なくとも１個の長手方向の縁部を有して、いかなる追加の固定具もなく壁パネルを互いに接続する。各連結用の長手縁部は、断面領域が交互に複数の固定部材および溝を画定するカットアウェイ（ｃｕｔａｗａｙ）領域を持った、ＣまたはＧ形状断面のフランジを有する。壁パネルフランジの固定部材は、２個の壁パネルフランジの固定部材を嵌合させて壁パネルを互いに接続するように、隣接壁パネルフランジの溝を通して挿入可能であり、それに対して長手方向に可動である。したがって、組み立て中に、壁パネルはその固定部材が隣接壁パネルの溝に水平に整列するように、縦に持ち上げられなければならない。次いで、それを水平に動かして、固定部材が隣接壁パネルの溝を通して挿入される。最終的に、固定部材が隣接壁パネルの固定部材に嵌合するように、それを降ろさなければならない。
【０００６】
この解決策は、ケージの組み立てを実質上プラットホームの領域内に制限できる点において、米国特許第６，０８２，５０１号明細書に伴う主要問題を克服することはいうまでもないが、技術者の側に手作業の手際良さと強さが大きく必要とされる。米国特許第５，８４２，５４５号明細書に引用された寸法から、壁パネルの各々は最大９０ｋｇの重量になり、技術者が手作業で各壁パネルを持ち上げ、それを持ち上げた位置で保持し、それを隣接パネルに整列し、隣接パネルの溝を通して挿入し、最終的にそれを降ろして、隣接パネルに嵌合させてプラットホームに着座させることは、非常に困難になる。
【０００７】
上に論じた従来技術のエレベータケージに伴うさらに他の問題は、同じようにして後続のパネルを加えてケージの側壁全体を形成できる前に、製造中に各壁パネルを位置に有効に固定し、または不動にしなければならない（米国特許第６，０８２，５０１号のプラットホームまたは米国特許第５，８４２，５４５号の隣接パネルのいずれに対しても）点である。これらの製造方法において、パネルのいかなる位置ズレも累積効果があり、壁が製造された後、これらのシステムに位置ズレを矯正するための最終的な調整を加えるいかなる余地もない。
【特許文献１】独国特許第４４４６０２３号明細書
【特許文献２】米国特許第６，０８２，５０１号明細書
【特許文献３】米国特許第５，８４２，５４５号明細書
【発明の開示】
【発明が解決しようとする課題】
【０００８】
したがって、本発明の目的は、ケージの組み立てが実質上プラットホームの領域内に制限され、１個のパネルを隣接壁パネルに対して持ち上げることなく実施することのできる、エレベータケージ組み立て体およびその製造方法を提供することである。
【課題を解決するための手段】
【０００９】
この目的は、２個以上のパネルから形成された少なくとも１個の壁を備えるエレベータケージを提供することによって達成され、各パネルは、エレベータケージのケージ内表面を形成する前表面と、それぞれ前表面の対向する縁部に取り付けられた雌コネクタおよび雄コネクタとを有し、雌コネクタは、平行ではあるが前表面から直交方向および横方向へ変位された溝を画定し、雄コネクタは平行ではあるが前表面から直交方向に変位された突起を含む。溝は前表面の後方に面する開口を有し、１個のパネルの突起はこの開口を通して隣接パネルの溝の中に挿入され、固定要素が隣接パネル間に挿入される。
【００１０】
したがって、１個のパネルの突起が隣接パネルからの溝の内部に挟まれて、その間における直交方向の相対的な動きを防止する。続いて固定要素を前部から隣接壁パネル間へ挿入することによって、溝内の突起を確実に着座させ、それによってその間における横方向の相対的な動きを防止する。したがって、隣接壁パネルは効率的に互いに固定される。
【００１１】
パネルは前部から相互接続することができ、したがってエレベータケージのプラットホームから設置することができる。壁パネルは、直交方向の変位ではなく、主として横方向の変位によって相互接続され、したがって、プラットホームと昇降路壁の間の隙間を最小に低減することができる。
【００１２】
前表面は、コーナーで接する２個の直角の表面を備えることができることが好ましい。この形態を有するパネルは、互いに直角の壁からのパネルを相互接続するコーナーパネルとして用いることができる。
【００１３】
壁を形成する隣接パネルは、直交方向の相対的な動きを防止するために、前述のように雄コネクタと雌コネクタの嵌合によって最初に相互接続されることが好ましい。このようにしてケージ全体の壁が形成されると、固定要素をパネル間に挿入してパネルを互いに確実に固定する前に、個々のパネルに対して最終調整を行うことができる。
【００１４】
添付の図面を参照しながら、特定の実施例として本発明を以下に説明する。
【発明を実施するための最良の形態】
【００１５】
図１は本発明による壁パネル２の断面を示す。壁パネル２は同一の壁パネル２に接続されてエレベータケージ１の側壁を形成する（図５に示される）。各壁パネル２は、最終的にエレベータケージ１のケージ内表面の一部を形成する、前部の平坦な表面４を備える。雌コネクタ２０は前表面４の第１の長手縁部６に設けられる。同様に、雄コネクタ１０は前表面４の第２の長手縁部８に設けられる。
【００１６】
雌コネクタ２０は、一端で前表面４の第１の長手縁部６に取り付けられてそこから後方へ直角に突出し、他の端で、前表面４に平行ではあるが離れて延在するＪ形状輪郭に取り付けられた、第１の脚部１８を備える。Ｊ形状輪郭は、第１部材２２および、第１部材２２を第２部材２６に相互接続するウェブ部材２４から形成される。第２部材２６は第１部材２２に平行かつその前面に配置される。さらに、第２部材２６は第１部材２２よりも短い。したがって溝２８は、雌コネクタ２０の第１部材２２、ウェブ部材２４、および第２部材２６によって画定される。溝２８は、第１脚部１８に面する開口３０を有する。第２部材２６の自由端部はリップ３２を有することが好ましい。
【００１７】
雄コネクタ１０は、一端で前表面４の第２の長手縁部８に取り付けられてそこから後方へ直角に突出し、他の端で、前表面４に平行かつ後部に延在する突起１４に取り付けられた、第２の脚部１２を含む。
【００１８】
図２Ａから図２Ｄは、２個の同一の壁パネル２、２’が互いに固定されてエレベータケージ１の壁の一部を作る手順を示す。両方のパネル２、２’は同一であるが、明瞭さのために参照符号には、以降で第１パネルとされる右側パネル２のものと、以降で第２または隣接パネルを参照する左側のパネル２’の特徴を区別するコンマを用いた。さらに、図には第２パネル２’の雄コネクタ１０’側および第１パネル２の雌コネクタ２０側のみが示される。
【００１９】
図２Ａに示すように、第１パネル２は第２パネル２’に向かって方向Ａへ横方向に動かされる。この相対的な動きの間に、雌コネクタ２０は隣接パネル２’の雄コネクタ１０’の後部を通過する。第２部材２６および雌コネクタ２０のリップ３２が雄コネクタ１０’の突起１４’を通り過ぎた後、パネル４、４’は、図２Ｂの矢Ｂで示すように互いに直交方向に集結され、雌コネクタ２０の第１部材２２が隣接パネル２’の雄コネクタ１０’の突起１４’に接する。次いで、パネル２、２’は図２Ｃの矢印Ｃで示すように互いに横方向に分離される。この相対的な動きの間、リップ３２は、開口３０を通って雌コネクタ２０の溝２８の中に突起１４’を案内することを助ける。この位置で、突起１４’は雌コネクタ２０の第１部材２２と第２部材２６の間にしっかり挟まれ、それによってパネル２、２’の間の直交方向の相対的な動きが防止される。
【００２０】
中間接続部４４から後方および外側へ広がる両側部４２を有する、ほぼＵ形状の長手方向挿入具４０が提供される。
【００２１】
図２Ｄに示すように、挿入具４０は、一方の側を雌コネクタ２０の第１脚部１８、後部を雌コネクタ２０の第１部材２２、および他の側を雄コネクタ１０’の第２脚部１２’によって画定される空洞５０の中に、直交方向Ｄへ押し込まれる。この動きの間、両側部４６は弾性変形して、第１パネル２の第１脚部１８と第２パネル２’の第２脚部１２’に対して反作用力を与える。これらの反作用力は２個のパネル２、２’を付勢して互いに遠ざけ、その結果、雄コネクタ１０’の突起１４’を確実に雌コネクタ２０のウェブ部２４に着座させ、パネル２、２’間の横方向への相対的な動きが防止される。
【００２２】
したがって、雌コネクタ２０の第１部材と第２部材の間に雄コネクタ１０’の突起１４’を挟むことは、パネル２、２’間の直交方向の相対的な動きを防止し、挿入具４０によってパネル２、２’に加えられた反作用力はパネル２、２’間の横方向の相対的な動きを防止する。したがって、パネル４’、４’の水平方向の全ての相対的な動きが本質的に防止され、２個のパネル２、２’は効果的に互いに固定される。
【００２３】
２個以上のパネル２は、このようにして互いに固定されてエレベータケージ１の壁を形成する。
【００２４】
図３は、２個の壁パネル２、２’を相互接続し２つの互いに直角なエレベータケージ壁の一部を形成する、コーナーパネル１０２の断面を示す。コーナーパネル１０２は、コーナー１０５で接する２個の直角な前表面１０４ａ及び１０４ｂを備えること以外、図２の壁パネル２と本質的に同一である。雌コネクタ１２０は第１の前表面１０４ａ上の第１長手縁部１０６に取り付けられて後方および外側へ直角に突出する。雄コネクタ１１０は第２前表面１０４ｂ上の第２長手縁部１０８に装着されて後方へ直角に突出する。
【００２５】
パネルを互いに固定する方法は前述と全く同じであり、図３に矢印ＡからＤで概略的に示される。第１ステップＡにおいて、１つのパネルの雌コネクタは隣接パネルの雄コネクタの後方を横方向へ動かされる。ステップＢにおいて、隣接パネルは、雌コネクタの第１部材が隣接パネルの雄コネクタに接するように、直交方向に互いに集結される。次いで、ステップＣにおいて、パネルは横方向へ互いに分離される。最終的に、ステップＤにおいて、挿入具４０が、１つのパネルの第１脚部と隣接パネルの第２脚部の間に直交方向に挿入される。
【００２６】
上述の説明において、用語「横方向」は関連のケージ壁で画定される面に整列されることを意味し、用語「直交方向」は関連のケージ壁によって画定される面に直角であることを意味する。
【００２７】
図４は本発明の一実施形態による挿入具４０をより詳細に示す。突起４６は両側部４２に設けられ、パネル２の第１脚部１８と第２脚部１０に設けられた対応する孔４８に嵌合する。
【００２８】
図５は本発明によるエレベータケージ１を示す分解斜視図である。プラットホーム３は、設置現場でエレベータ昇降路に持ち込まれるケージ１の最初の構成要素である。ケージ１の床として働くプラットホーム３は、一般にケージ１の主要な耐荷重要素であり、通常エレベータ昇降路内を動くケージ枠上に支持される。本実施形態において、プラットホーム３は単一の金属シートから製造され、これの縁部は９０°の角度で下方に曲がって側壁５を形成する。複数のブラケット７が側壁５から打ち抜かれて、プラットホーム３の周縁に沿ってＵ形状のチャネルを作る。
【００２９】
次いで、壁パネル２、２’をプラットホーム３上のＵ形状のチャネルに挿入することによってケージ壁が作られる。壁を形成する隣接パネル２、２’は、前述のように直交方向の相対的な動きを防止するために雄コネクタと雌コネクタを嵌合することによって、最初に相互接続されることが好ましい。ケージ壁全体がこのようにして形成されたならば、挿入具４０を空洞５０に押し込んでパネルを互いに確実に固定する前に、個々のパネル２、２’に最終的な調製を加えることができる。
【００３０】
次に、落とし天井１３がケージ１に持ち込まれて、パネル２、２’上に降ろされることが可能である。落とし天井１３は本質的にプラットホーム３の逆向きである。本実施形態において、天井１３は単一の金属シートから作られ、これの縁部は９０°の角度で上方に曲がって側壁１５を形成する。複数のブラケット１７が側壁５から打ち抜かれて、天井１３の周縁に沿って逆Ｕ形状のチャネルを作り、パネル２、２’を受容する。
【図面の簡単な説明】
【００３１】
【図１】本発明による壁パネルの断面図である。
【図２Ａ】エレベータケージの壁の一部を作るために、図１の壁パネルが同一の隣接壁パネルに取り付けられる手順を示す図である。
【図２Ｂ】エレベータケージの壁の一部を作るために、図１の壁パネルが同一の隣接壁パネルに取り付けられる手順を示す図である。
【図２Ｃ】エレベータケージの壁の一部を作るために、図１の壁パネルが同一の隣接壁パネルに取り付けられる手順を示す図である。
【図２Ｄ】エレベータケージの壁の一部を作るために、図１の壁パネルが同一の隣接壁パネルに取り付けられる手順を示す図である。
【図３】図１による２個の壁パネルを相互接続し、２個の互いに直角なエレベータケージ壁の一部を形成する、コーナーパネルを示す図である。
【図４】本発明の一実施形態による挿入具の断面図である。
【図５】図１から図３の壁パネルから形成された壁を組み込むエレベータケージの分解斜視図である。
【符号の説明】
【００３２】
１  エレベータケージ
２、２’  壁パネル
３  プラットホーム
４、４’  パネル
５、１５  側壁
６、１０６  第１の長手縁部
７、１７  ブラケット
８、１０８  第２の長手縁部
１０、１０’、１１０  雄コネクタ
１３  落とし天井
１２、１２’  第２の脚部
１４、１４’  突起
１８  第１の脚部
２０、１２０  雌コネクタ
２２  第１部材
２４  ウェブ部材
２６  第２部材
２８  溝
３０  開口
３２  リップ
４０  長手方向挿入具
４２、４６  両側部
４４  中間接続部
４８  孔
５０  空洞
１０２  コーナーパネル
１０４ａ、１０４ｂ  前表面
１０５  コーナー
【図１】
2007169067.tif 000003
【図２Ａ】
2007169067.tif 000004
【図２Ｂ】
2007169067.tif 000005
【図２Ｃ】
2007169067.tif 000006
【図２Ｄ】
2007169067.tif 000007
【図３】
2007169067.tif 000008
【図４】
2007169067.tif 000009
【図５】
2007169067.tif 000010
【外国語明細書】
2007169067.tif 000011
2007169067.tif 000012
2007169067.tif 000013
2007169067.tif 000014
2007169067.tif 000015
2007169067.tif 000016
2007169067.tif 000017
2007169067.tif 000018
2007169067.tif 000019
2007169067.tif 000020
2007169067.tif 000021
2007169067.tif 000022
2007169067.tif 000023
2007169067.tif 000024
2007169067.tif 000025